(57)【要約】【課題】データを記録媒体に記録する動作の安定性を高めた記録装置を提供する。【解決手段】記録装置１００は、装着部３５と、保護蓋１２と、開閉検出部３４と、バッファ１３０と、記録制御部１４１と、を備えている。記録制御部は、データをバッファへ蓄積し、バッファに蓄積されたデータをバッファから読み出して記録媒体に書き込む制御を行う。また、記録制御部は、保護蓋が開状態になったことを開閉検出部が検出したときは、データをバッファへ蓄積する動作を継続しつつ、バッファに蓄積されたデータをバッファから読み出して記録媒体に書き込む動作を停止する制御を行う。【選択図】図６
2015172922.tif 000002
【特許請求の範囲】
【請求項１】
記録媒体を着脱可能に装着するように構成された装着部と、
開閉可能に設けられ、閉状態では前記装着部に装着された記録媒体を覆って外部から遮蔽し、開状態では前記装着部に装着された記録媒体が外部に露出するように構成された保護蓋と、
前記保護蓋の開閉状態を検出するように構成された開閉検出部と、
前記装着部に装着された記録媒体へ記録するデータを一時的に蓄積するように構成されたバッファと、
前記データを前記バッファへ蓄積し、前記バッファに蓄積されたデータを前記バッファから読み出して前記装着部に装着された記録媒体に書き込む制御を行うとともに、前記保護蓋が開状態になったことを前記開閉検出部が検出したときは、前記データを前記バッファへ蓄積する動作を継続しつつ、前記バッファに蓄積されたデータを前記バッファから読み出して前記装着部に装着された記録媒体に書き込む動作を停止する制御を行うように構成された記録制御部と、を備えた
記録装置。
【請求項２】
前記記録制御部は、
前記バッファに蓄積されるデータが前記バッファの使用容量の上限に到達する前に、前記保護蓋が閉状態になったことを前記開閉検出部が検出したときは、前記バッファに蓄積されたデータを前記バッファから読み出して前記装着部に装着された記録媒体に書き込む動作を再開するように構成された、
請求項１に記載の記録装置。
【請求項３】
前記装着部に前記記録媒体が装着されているか否かを検出するように構成された記録媒体検出部をさらに備え、
前記記録制御部は、
前記保護蓋が開状態のまま、前記バッファに蓄積されるデータが前記バッファの使用容量の上限に到達したときは、前記記録媒体検出部における検出結果にもとづき、前記バッファに蓄積されたデータを前記バッファから読み出して前記装着部に装着された記録媒体に記録する動作を再開するように構成された、
請求項１に記載の記録装置。
【請求項４】
前記保護蓋として、複数の保護蓋が備えられ、
前記記録制御部は、
前記データの記録対象となっている記録媒体を保護する保護蓋が開状態であることが前記開閉検出部で検出されたときは、前記データを前記バッファへ蓄積する動作を継続しつつ、前記バッファに蓄積されたデータを前記バッファから読み出して前記装着部に装着された記録媒体に記録する動作を停止するように構成された、
請求項１に記載の記録装置。
【請求項５】
前記記録制御部は、
前記バッファに蓄積されるデータが前記バッファの使用容量の上限に到達する前に、前記データの記録対象となっている記録媒体を保護する保護蓋が閉状態になったことを前記開閉検出部が検出したときは、前記バッファに蓄積されたデータを前記バッファから読み出して前記データの記録対象となっている記録媒体に書き込む動作を再開し、
前記データの記録対象となっている記録媒体を保護する保護蓋が開状態のまま、前記バッファに蓄積されるデータが前記バッファの使用容量の上限に到達したときは、前記データの記録対象を、閉状態の保護蓋で覆われた記録媒体に変更し、前記バッファに蓄積されたデータを前記バッファから読み出す動作を再開するとともに、読み出された前記データを前記閉状態の保護蓋で覆われた記録媒体に記録する動作を開始するように構成された、
請求項４に記載の記録装置。
【請求項６】
撮像部と、
前記撮像部で撮影された映像信号に基づくデータを記録媒体に記録する記録装置と、を備えた撮像装置であって、
前記記録装置は、
前記記録媒体を着脱可能に装着するように構成された装着部と、
開閉可能に設けられ、閉状態では前記装着部に装着された記録媒体を覆って外部から遮蔽し、開状態では前記装着部に装着された記録媒体が外部に露出するように構成された保護蓋と、
前記保護蓋の開閉状態を検出するように構成された開閉検出部と、
前記データを前記装着部に装着された記録媒体へ記録するために一時的に蓄積するように構成されたバッファと、
前記データを前記バッファへ蓄積し、前記バッファに蓄積されたデータを前記バッファから読み出して前記装着部に装着された記録媒体に書き込む制御を行うとともに、前記保護蓋が開状態になったことを前記開閉検出部が検出したときは、前記データを前記バッファへ蓄積する動作を継続しつつ、前記バッファに蓄積されたデータを前記バッファから読み出して前記装着部に装着された記録媒体に書き込む動作を停止する制御を行うように構成された記録制御部と、を備えた
撮像装置。
【請求項７】
前記記録制御部は、
前記バッファに蓄積されるデータが前記バッファの使用容量の上限に到達する前に、前記保護蓋が閉状態になったことを前記開閉検出部が検出したときは、前記バッファに蓄積されたデータを前記バッファから読み出して前記装着部に装着された記録媒体に書き込む動作を再開するように構成された、
請求項６に記載の撮像装置。
【請求項８】
前記記録制御部は、
前記保護蓋が開状態になったことを前記開閉検出部が検出したときは、前記保護蓋が開状態であることを使用者に告知する制御を行うように構成された、
請求項６に記載の撮像装置。
【請求項９】
表示部を更に備え、
前記記録制御部は、
前記保護蓋が開状態であることを使用者に告知する警告画像を前記表示部に表示する制御を行うように構成された、
請求項８に記載の撮像装置。
【請求項１０】
前記記録制御部は、
前記保護蓋が開状態になったことを前記開閉検出部が検出したときは、前記バッファに蓄積されるデータが前記バッファの使用容量の上限に到達するまでの時間を算出し、算出された前記時間を使用者に告知する制御を行うように構成された、
請求項６に記載の撮像装置。
【請求項１１】
表示部を更に備え、
前記記録制御部は、
算出された前記時間を使用者に告知する警告画像を前記表示部に表示する制御を行うように構成された、
請求項１０に記載の撮像装置。
【発明の詳細な説明】
【技術分野】
【０００１】
本開示は、交換式の記録媒体を着脱可能に装着して映像信号や音声信号を記録する記録装置、およびこの記録装置を備えた撮像装置に関する。
【背景技術】
【０００２】
磁気テープ、磁気ディスク、または光ディスク等の記録媒体を交換可能に装着し、その記録媒体に映像信号や音声信号等を記録する記録装置が知られている。そのような記録装置では、信号の記録動作時に、テープの巻き取りやディスクの回転といった機械的な動作が伴う。したがって、そのような機械的な動作が行われているか否かにより信号の記録動作中であるかどうかがわかるため、信号の記録動作中に誤って記録媒体が取り出される、といった事態を未然に防ぐことは比較的容易である。
【０００３】
一方、フラッシュメモリ等の不揮発性の半導体メモリデバイスを内蔵したメモリカードを交換可能に装着し、そのメモリカードに映像信号や音声信号等を記録する記録装置が知られている。
【０００４】
そのような記録装置では、メモリカードへの信号の記録動作中に、上述したような機械的な動作が生じないため、信号の記録動作中であるかどうかが比較的わかりにくい。そのため、メモリカードへの信号の記録動作中に、メモリカードが装着部から誤って取り出される可能性がある。
【０００５】
特許文献１は、メモリカード記録装置を開示する。このメモリカード記録装置は、データがメモリカードに記録されているときに、カード保護蓋が開状態になったことが検出されると、メモリカードを抜き去らないようにユーザに対して通知する警告画像が表示される。
【先行技術文献】
【特許文献】
【０００６】
【特許文献１】特開２００８−２２６０４５号公報
【発明の概要】
【発明が解決しようとする課題】
【０００７】
本開示は、交換式の記録媒体を着脱可能に装着する記録装置、およびこの記録装置を備えた撮像装置を提供する。
【課題を解決するための手段】
【０００８】
本開示における記録装置は、装着部と、保護蓋と、開閉検出部と、バッファと、記録制御部と、を備えている。装着部は、記録媒体を着脱可能に装着するように構成されている。保護蓋は、開閉可能に設けられ、閉状態では装着部に装着された記録媒体を覆って外部から遮蔽し、開状態では装着部に装着された記録媒体が外部に露出するように構成されている。開閉検出部は、保護蓋の開閉状態を検出するように構成されている。バッファは、装着部に装着された記録媒体へ記録するデータを一時的に蓄積するように構成されている。記録制御部は、データをバッファへ蓄積し、バッファに蓄積されたデータをバッファから読み出して装着部に装着された記録媒体に書き込む制御を行うように構成されている。また、記録制御部は、保護蓋が開状態になったことを開閉検出部が検出したときは、データをバッファへ蓄積する動作を継続しつつ、バッファに蓄積されたデータをバッファから読み出して記録媒体に書き込む動作を停止する制御を行うように構成されている。
【０００９】
本開示における撮像装置は、撮像部と、撮像部で撮影された映像信号に基づくデータを記録媒体に記録する記録装置と、を備えている。この記録装置は、装着部と、保護蓋と、開閉検出部と、バッファと、記録制御部と、を備えている。装着部は、記録媒体を着脱可能に装着するように構成されている。保護蓋は、開閉可能に設けられ、閉状態では装着部に装着された記録媒体を覆って外部から遮蔽し、開状態では装着部に装着された記録媒体が外部に露出するように構成されている。開閉検出部は、保護蓋の開閉状態を検出するように構成されている。バッファは、装着部に装着された記録媒体へ記録するデータを一時的に蓄積するように構成されている。記録制御部は、データをバッファへ蓄積し、バッファに蓄積されたデータをバッファから読み出して装着部に装着された記録媒体に書き込む制御を行うように構成されている。また、記録制御部は、保護蓋が開状態になったことを開閉検出部が検出したときは、データをバッファへ蓄積する動作を継続しつつ、バッファに蓄積されたデータをバッファから読み出して記録媒体に書き込む動作を停止する制御を行うように構成されている。
【発明の効果】
【００１０】
本開示における記録装置は、データを記録媒体に記録する動作の安定性を高めるのに有効である。
【図面の簡単な説明】
【００１１】
【図１】図１は、実施の形態１における記録装置を備えた撮像装置の一例を示す斜視図である。
【図２】図２は、実施の形態１における記録装置を備えた撮像装置の他の一例を示す斜視図である。
【図３Ａ】図３Ａは、実施の形態１における記録装置が有する保護蓋が閉じられた状態を概略的に示す図である。
【図３Ｂ】図３Ｂは、実施の形態１における記録装置が有する保護蓋が開いた状態を概略的に示す図である。
【図４】図４は、実施の形態１における記録装置を備えた撮像装置の構成の一例を概略的に示すブロック図である。
【図５】図５は、実施の形態１における記録装置の構成の一例を概略的に示すブロック図である。
【図６】図６は、実施の形態１における記録装置の構成の一例を概略的に示すブロック図である。
【図７】図７は、実施の形態１における記録装置のデータ記録動作を概略的に示すフローチャートである。
【図８】図８は、実施の形態１における記録装置の通常動作時のデータ記録動作を概略的に示す図である。
【図９】図９は、実施の形態１における記録装置のデータ記録動作の一例を概略的に示す図である。
【図１０】図１０は、実施の形態１における警告画像の一例を概略的に示す図である。
【図１１】図１１は、実施の形態１における警告画像の他の一例を概略的に示す図である。
【図１２】図１２は、実施の形態１における記録装置のデータ記録動作の他の一例を概略的に示す図である。
【図１３】図１３は、実施の形態１における記録装置の構成の他の一例を概略的に示すブロック図である。
【図１４】図１４は、実施の形態２における記録装置の構成の一例を概略的に示すブロック図である。
【図１５】図１５は、実施の形態２における記録装置のデータ記録動作を概略的に示すフローチャートである。
【図１６】図１６は、実施の形態２における記録装置のデータ記録動作の一例を概略的に示す図である。
【発明を実施するための形態】
【００１２】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、添付図面および以下の説明は、当業者が本開示を十分に理解するために提供されるのであって、これらにより特許請求の範囲に記載の主題を限定することは意図されていない。
【００１４】
（実施の形態１）
以下、図１〜図１３を用いて、実施の形態１を説明する。なお、本実施の形態では、本開示の記録装置を有する撮像装置の一例として業務用のビデオカメラである撮像装置１０、２０を挙げているが、本開示の記録装置を適用可能な機器は何ら業務用のビデオカメラに限定されるものではない。本開示の記録装置は、交換式の記録媒体を着脱可能に装着して映像信号や音声信号等を記録する機器、例えば、動画撮影機能を有する静止画撮像装置や民生用のビデオカメラ、音声録音装置、等に適用可能である。
【００１５】
また、本実施の形態では、交換式の記録媒体の一例として、不揮発性の半導体メモリデバイスを内蔵したメモリカードを挙げているが、この記録媒体は何らメモリカードに限定されるものではなく、着脱可能な記録媒体であればよい。
【００１６】
［１−１．構成］
図１、図２を用いて本実施の形態における記録装置を備えた撮像装置の構成の概略を説明する。
【００１７】
図１は、実施の形態１における記録装置を備えた撮像装置の一例を示す斜視図である。
【００１８】
図１に示す撮像装置１０は、撮像本体部１１を備える。撮像本体部１１には、被写体を撮影するための撮影ユニット、音声を収録するためのマイク装置１７、撮影された映像を表示するための表示ユニット（ビューファインダー部１３、液晶パネル１５）、撮影ユニットから出力される映像信号およびマイク装置１７から出力される音声信号を記録再生するための記録再生ユニット、が設けられている。なお、上述の各ユニットは、ビデオカメラが一般的に有するものであるので、符号を付与しての説明は省略する。
【００１９】
撮像本体部１１は、撮影ユニットが有する撮像部（図１には示さず）および撮像レンズ部１６、表示ユニットが有するビューファインダー部１３および液晶パネル１５、記録再生ユニットが有する記録装置（図１には示さず）、保護蓋１２、を備えている。
【００２０】
また、撮像本体部１１の上部には、使用者が撮像装置１０を使用するときや持ち運びをするときに取っ手となるハンドル部１４が設けられている。
【００２１】
ハンドル部１４の前方には、撮影映像や再生映像を表示するように構成された液晶パネル１５が開閉可能に取り付けられている。
【００２２】
液晶パネル１５は、閉じるとパネル収納部（図示せず）に収納されて表示面が隠れた状態となり、開くとパネル収納部から立ち上がって表示面が露出する。図１には液晶パネル１５が閉じた状態を示している。
【００２３】
ビューファインダー部１３は、撮像本体部１１の後部に備えられている。撮像レンズ部１６を通して撮影された映像や、記録再生ユニットに記録された映像信号の再生映像は、液晶パネル１５やビューファインダー部１３に表示され、使用者は、その表示映像を見ることで、撮影映像や再生映像を視覚的に確認することができる。
【００２４】
なお、後述する警告画像は、この液晶パネル１５やビューファインダー部１３に表示される。
【００２５】
保護蓋１２は、撮像装置１０に備えられた記録装置に着脱可能に装着される記録媒体を保護するためのものである。
【００２６】
保護蓋１２は、誤って開かれることを防止するために、例えばロックが掛かるように構成されてもよい。しかし、業務用のビデオカメラ等では、速やかに記録媒体を交換できるように、保護蓋１２は容易に開くように構成されることが望ましい。しかし、そのような構成の保護蓋１２は、誤って開かれる可能性が相対的に高くなる。保護蓋１２については後述する。
【００２７】
図２は、実施の形態１における記録装置を備えた撮像装置の他の一例を示す斜視図である。
【００２８】
図２に示す撮像装置２０は、使用者が肩に乗せて使用可能なように構成されており、撮像本体部２１を備える。撮像本体部２１には、撮像レンズ部２６、ビューファインダー部２３、ハンドル部２４、保護蓋２２、が備えられている。なお、撮像レンズ部２６は、図１に示した撮像レンズ部１６に相当し、ビューファインダー部２３は、図１に示したビューファインダー部１３に相当し、ハンドル部２４は、図１に示したハンドル部１４に相当するので、繰り返しの説明は省略する。また、保護蓋２２は、図１に示した保護蓋１２に相当する。また、図１に示したマイク装置１７に相当するマイク装置は、マイク装着部２７に着脱可能に装着することができる。図２にはマイク装置を装着していない状態を示している。
【００２９】
次に、本実施の形態における記録装置が有する保護蓋について説明する。
【００３０】
図３Ａは、実施の形態１における記録装置が有する保護蓋が閉じられた状態を概略的に示す図である。図３Ｂは、実施の形態１における記録装置が有する保護蓋が開いた状態を概略的に示す図である。
【００３１】
なお、図３Ａ、３Ｂには、図２に示した撮像装置２０が有する保護蓋２２を例に挙げて示しているが、図１に示した撮像装置１０が有する保護蓋１２も、図３Ａ、３Ｂに示す保護蓋２２と実質的に同じ構成であり、実質的に同じ動作をする。
【００３２】
本実施の形態において、記録装置が有する保護蓋は、記録装置に開閉可能に取り付けられている。この保護蓋は、記録装置に着脱可能に装着される記録媒体（例えば、メモリカード）に、意図せず使用者の手や物が接触したり、使用者が誤って取り出したりすること（以下、「不要な物理的接触」とも記す）を防止するために設けられたものである。
【００３３】
図３Ｂには、撮像装置２０が有する記録装置に、２枚の記録媒体３２と、記録媒体３２とは形状が異なる２枚の記録媒体３３の、計４枚の記録媒体が装着されている例を示す。保護蓋２２は、これらの記録媒体３２、３３を、外部からの不要な物理的接触から保護することができる。例えば図３Ａに示すように、保護蓋２２が閉じた状態（以下、「閉状態」とも記す）では、記録媒体３２、３３は保護蓋２２によって保護された状態となり、記録媒体３２、３３に外部から触れることはできない。したがって、記録媒体３２、３３に対して使用者の手や物等が意図せず触れてしまう、といったことを防止することができる。
【００３４】
また、記録媒体３２、３３を新たな記録媒体と交換するとき等は、例えば図３Ｂに示すように、保護蓋２２を開いた状態（以下、「開状態」とも記す）にすればよい。こうすることで、記録媒体３２、３３は外部に対して露出した状態となり、記録媒体３２、３３を記録装置から取り外すことができる。
【００３５】
また、保護蓋２２には開閉検出素子３１が設けられており、開閉検出素子３１は、保護蓋２２が開状態のときは例えばハイレベル（Ｈｉ）となり、閉状態のときは例えばローレベル（Ｌｏ）となる検出信号を出力するように構成されている。後述する開閉検出部は、開閉検出素子３１を通して保護蓋２２が開状態か閉状態かを検出することができる。
【００３６】
なお、記録装置が有する保護蓋は、外部からの不要な物理的接触から記録媒体を保護することができればよく、図１、図２にそれぞれ一例を示したように、形状や配置位置に関して何ら限定されない。
【００３７】
次に、本実施の形態における記録装置を有する撮像装置の構成について説明する。
【００３８】
図４は、実施の形態１における記録装置を備えた撮像装置の構成の一例を概略的に示すブロック図である。なお、図４には、図１に示した撮像装置１０の構成を例に挙げて示しているが、図２に示した撮像装置２０も図４に示す構成と実質的に同じ構成である。
【００３９】
なお、図４および図４以降に示すブロック図には、本実施の形態に示す動作に関連する主な回路ブロックを示しており、他の動作に関する機能や回路ブロックは省略している。例えば、電源部、等は省略している。これは、本実施の形態で説明する動作を分かりやすく示すためである。また、図４および以降の図面に示す各回路ブロックは、それぞれが独立した回路で構成されていてもよく、あるいは、図面に示す回路ブロックの１つまたは複数の動作を実現するように作成されたプログラムをプロセッサーで実行する構成であってもよい。
【００４０】
図４に示すように、撮像装置１０は、撮像部１１０、エンコーダ１２０、全体制御部１４０、表示部１５０、バス部１６０、記録装置１００、を有する。
【００４１】
撮像部１１０は、撮像レンズ部１６、撮像素子（図示せず）、を備える。撮像素子は、例えばＣＭＯＳやＣＣＤ等の受光素子であり、光を電気信号に変換する機能を有する。撮像部１１０では、撮像レンズ部１６を通して取り込まれた外光が撮像素子上に結像し、その結像した画像が電気信号（映像信号）に変換されて出力されるように構成されている。また、撮像部１１０は、撮像素子上に結像した１枚の画像（１フレーム）を映像信号に変換して出力する動作を、例えば１／６０秒毎に繰り返し行うことで、６０フレーム／秒の動画撮影が可能である。撮像部１１０から出力される映像信号は、エンコーダ１２０へ入力される。
【００４２】
エンコーダ１２０は、撮像部１１０から出力される映像信号や、図１に示したマイク装置１７から出力される音声信号を、所定の信号圧縮方式（例えば、ＭＰＥＧ等）で圧縮して出力するように構成されている。すなわち、エンコーダ１２０は、映像信号を圧縮して映像データにし、音声信号を圧縮して音声データにして、出力する。なお、圧縮方式は何らＭＰＥＧに限定されるものではなく、他の方式であってもよい。
【００４３】
なお、以下では、映像データおよび音声データを、単に「データ」とも記す。
【００４４】
表示部１５０は、図１に示した液晶パネル１５、ビューファインダー部１３、を備える。表示部１５０は、撮像部１１０を通して撮影された映像や再生映像等を表示するように構成されている。使用者は、表示部１５０に表示される映像を見ることで、撮影映像や再生映像を視覚的に確認することができる。また、後述する警告画像は、表示部１５０に表示される。
【００４５】
記録装置１００は、交換式の記録媒体を着脱可能に装着することができ、エンコーダ１２０から出力される映像データおよび音声データは、この記録媒体に記録されるように構成されている。記録装置１００の詳細は後述する。
【００４６】
バス部１６０は、各ブロック間のデータのやり取りを仲介するように構成されている。すなわち、各ブロックは、互いのデータのやり取りを、バス部１６０を介して行う。したがって、エンコーダ１２０から出力される映像データおよび音声データは、バス部１６０を介して記録装置１００に送られ、記録装置１００に装着された記録媒体に記録される。
【００４７】
全体制御部１４０は、撮像装置１０の各回路ブロックを、撮像装置１０の動作状態に応じて、適切に制御するように構成されている。例えば、撮像装置１０で動画撮影を行うときは、全体制御部１４０は、撮像部１１０を通して動画撮影が適切に行われ、動画撮影により生成されたデータが記録装置１００の記録媒体に適切に記録されるように、各回路ブロックを制御する。撮像装置１０で映像再生を行うときは、全体制御部１４０は、記録装置１００の記録媒体に記録された映像データを適切に読み出して映像信号に変換し、その映像信号が表示部１５０に適切に表示されるように、各回路ブロックを制御する。また、詳細は後述するが、警告画像を表示するように記録装置１００から指示されたときは、その指示に従い警告画像が表示部１５０に適切に表示されるように、また、警告画像を非表示にするように記録装置１００から指示されたときは、その指示に従い警告画像が非表示になるように、各回路ブロックを制御する。
【００４８】
次に、本実施の形態における記録装置１００の構成について説明する。
【００４９】
図５、図６は、実施の形態１における記録装置の構成の一例を概略的に示すブロック図である。図５には、記録媒体が装着されていない状態の記録装置１００を示し、図６には、記録媒体が装着されている状態の記録装置１００を示す。
【００５０】
なお、図５、図６には、図１に示した撮像装置１０に備えられた記録装置１００の構成を例に挙げて示しているが、図２に示した撮像装置２０に備えられた記録装置も、図５、図６に示す構成と実質的に同じ構成である。
【００５１】
図５、図６に示すように、本実施の形態における記録装置１００は、装着部３５、インターフェース３６、保護蓋１２、開閉検出素子３１、開閉検出部３４、バッファ１３０、記録制御部１４１、を有する。
【００５２】
なお、記録装置１００が有する各ブロックは、バス部１６０を介して互いにデータをやり取りするように構成されている。
【００５３】
装着部３５は、図５、図６に示すように、交換式の記録媒体３２を着脱可能に装着することができるように構成されている。記録媒体３２は、例えば、不揮発性の半導体メモリデバイスを内蔵したメモリカードである。記録媒体３２には、内部の半導体メモリデバイスと電気的に接続された接続端子（図示せず）が設けられている。また、装着部３５にも電気的な接続部（図示せず）が設けられており、装着部３５に装着された記録媒体３２の接続端子は、装着部３５の接続端子と電気的に接続される。
【００５４】
インターフェース３６は、装着部３５の接続端子と電気的に接続されており、装着部３５に装着された記録媒体３２とバス部１６０とを電気的に仲介するように構成されている。すなわち、装着部３５に装着された記録媒体３２とバス部１６０とのデータのやり取りは、インターフェース３６を介して行われる。また、インターフェース３６は、記録媒体３２とデータのやり取りができるかどうかで、記録媒体３２が装着部３５に装着されているかどうかがわかる。このことから、インターフェース３６は、記録媒体検出部としても動作する。記録制御部１４１は、インターフェース３６を通して、装着部３５に記録媒体３２が装着されているかどうかを知ることができる。
【００５５】
バッファ１３０は、エンコーダ１２０と記録媒体３２との間を仲介するように構成されている。エンコーダ１２０は、撮像部１１０から出力される動画の信号量に応じた速度でデータを出力する。この速度とは、単位時間（例えば、１秒間）に扱われるデータ量のことである。一方、記録媒体３２は、記録媒体３２の仕様に応じた適切な速度およびデータサイズでデータが書き込まれることが望ましい。そのため、バッファ１３０は、エンコーダ１２０と記録媒体３２との間に介在し、エンコーダ１２０から記録媒体３２へのデータの転送速度およびデータサイズを調整するための一時的なデータ蓄積部として動作する。すなわち、エンコーダ１２０から出力されるデータはバッファ１３０に一時的に蓄積され、記録媒体３２への書き込みに適した速度およびデータサイズでバッファ１３０から読み出されて記録媒体３２に書き込まれる。
【００５６】
なお、本実施の形態では、撮像装置１０で動画撮影が行われているときに保護蓋１２が開状態になれば、エンコーダ１２０から出力されるデータは、バッファ１３０に継続して蓄積されるが、バッファ１３０から記録媒体３２へは転送されない。この動作の詳細は後述する。
【００５７】
保護蓋１２は、記録装置１００に開閉可能に取り付けられている。保護蓋１２を閉じると、装着部３５に装着された記録媒体３２は、外部からの物理的接触から保護される。保護蓋１２を開くと、装着部３５に装着された記録媒体３２は外部に対して露出した状態となる。これにより、例えば、記録媒体３２を装着部３５から取り外して新たな記録媒体３２と交換することができる。
【００５８】
なお、装着部３５に装着された記録媒体３２を保護蓋１２によって保護するのは、以下のような理由による。
【００５９】
装着部３５に装着された記録媒体３２の接続端子と装着部３５の接続端子とは、互いに接触することで電気的に接続されている。しかし、記録媒体３２に触る等して外力が加わると、記録媒体３２の接続端子と装着部３５の接続端子との間にわずかな隙間が生じ、互いの電気的な接続が一時的に途切れる現象（チャタリング）が生じることがある。そして、記録媒体３２に書き込み動作を行っているときにチャタリングが生じると、記録媒体３２にデータを正しく書き込むことができなくなる。保護蓋１２は、記録媒体３２を覆うことで、そのような事態の発生を防止している。
【００６０】
開閉検出素子３１は、保護蓋１２に取り付けられており、保護蓋１２が開状態のときは例えばＨｉとなり、閉状態のときは例えばＬｏとなる検出信号を出力するように構成されている。
【００６１】
開閉検出部３４は、開閉検出素子３１と電気的に接続されており、開閉検出素子３１から出力される検出信号にもとづき、保護蓋１２が開状態か閉状態かを検出するように構成されている。開閉検出部３４における検出結果は、記録制御部１４１に出力される。
【００６２】
なお、図示はしないが、開閉検出素子３１と開閉検出部３４は、一体化された１つの部材として形成されていてもよい。あるいは、開閉検出素子３１から出力される検出信号が記録制御部１４１に直接入力される構成であってもよい。
【００６３】
記録制御部１４１は、全体制御部１４０と連携して動作し、記録装置１００の各回路ブロックを、記録装置１００および撮像装置１０の動作状態に応じて適切に制御するように構成されている。例えば、撮像装置１０で動画撮影を行うときは、記録制御部１４１は、動画撮影によりエンコーダ１２０から連続して出力されるデータが、装着部３５に装着された記録媒体３２に適切に記録されるように、全体制御部１４０と連携しながら記録装置１００の各回路ブロックを制御する。このとき記録制御部１４１は、バッファ１３０へのデータ書き込みと、バッファ１３０からのデータ読み出しとを適切に制御し、エンコーダ１２０から記録媒体３２へ転送されるデータの転送速度やデータサイズの調整等を行う。撮像装置１０で映像再生を行うときは、記録制御部１４１は、装着部３５に装着された記録媒体３２からデータが適切に読み出されるように、全体制御部１４０と連携しながら記録装置１００の各回路ブロックを制御する。
【００６４】
なお、本実施の形態では、撮像装置１０で動画撮影が行われているときに、保護蓋１２が開状態であることが開閉検出部３４で検出されると、記録制御部１４１は、エンコーダ１２０から出力されるデータをバッファ１３０に継続して蓄積しつつ、一方でバッファ１３０からデータを読み出して記録媒体３２へ書き込む動作を一時的に停止するように、記録装置１００の各回路ブロックを制御する。併せて、警告画像を表示部１５０に表示するように全体制御部１４０に指示する。これらの動作の詳細は後述する。
【００６５】
なお、図５、図６では、全体制御部１４０と記録制御部１４１とを別々の回路ブロックとして示しているが、全体制御部１４０と記録制御部１４１とを統合し、１つの制御部として動作するように撮像装置１０を構成してもよい。
【００６６】
［１−２．動作］
以上のように構成された記録装置１００における、撮像装置１０で動画撮影が行われているときの、データ記録動作を説明する。
【００６７】
図７は、実施の形態１における記録装置１００のデータ記録動作を概略的に示すフローチャートである。
【００６８】
なお、本実施の形態において、図７に示す記録装置１００の各動作は、記録制御部１４１によって制御されているものとする。また、記録媒体３２は、装着部３５に装着されている記録媒体（例えば、メモリカード）のことである。
【００６９】
撮像装置１０で動画撮影が開始されると、記録制御部１４１は、エンコーダ１２０から連続して出力されるデータを記録するために、記録媒体３２へのデータ記録動作を開始する（ステップＳ１１）。
【００７０】
記録制御部１４１は、開閉検出部３４を通して、保護蓋１２が開状態か閉状態かを監視する（ステップＳ１２）。記録制御部１４１は、例えば、開閉検出部３４からＨｉレベルの信号が出力されれば保護蓋１２は開状態であると判断し、開閉検出部３４からＬｏレベルの信号が出力されれば保護蓋１２は閉状態であると判断する。なお、開閉検出部３４から出力される信号は、Ｈｉ／Ｌｏが上述と逆であってもよい。
【００７１】
ステップＳ１２で、保護蓋１２は閉状態である（Ｎｏ）と判断されれば、記録制御部１４１は、ステップＳ１１の動作を継続して行う。このときのデータ記録動作が記録装置１００の通常動作である。
【００７２】
この通常動作の概略を図面を用いて説明する。
【００７３】
図８は、実施の形態１における記録装置１００の通常動作時のデータ記録動作を概略的に示す図である。
【００７４】
図８には、撮像装置１０で動画撮影が行われているときの、バッファ１３０におけるデータの書き込み動作と読み出し動作、記録媒体３２へのデータ書き込み動作、保護蓋１２の開閉状態、バッファ１３０の使用容量（バッファ１３０に蓄積されるデータ量）、の時間変化を概略的に示す。
【００７５】
撮像装置１０で動画撮影が行われると、図８に示すように、エンコーダ１２０からは連続してデータが出力され、そのデータは随時バッファ１３０に書き込まれる。
【００７６】
バッファ１３０に蓄積されたデータは、記録媒体３２への書き込みに適した速度およびデータサイズでバッファ１３０から読み出されて記録媒体３２に転送される。
【００７７】
例えば、時刻ｔ１にバッファ１３０に書き込まれたデータＡは、時刻ｔ２にバッファ１３０から読み出され、記録媒体３２に書き込まれる。こうして、バッファ１３０から記録媒体３２へ、データＡが転送される。
【００７８】
なお、時刻ｔ１と時刻ｔ２との時間差は、例えば０．１秒程度であるが、この時間差は、撮像装置１０における動作状態や記録媒体３２の仕様等によって変化する。例えば、撮像装置１０で動画撮影が開始された直後等は、この時間差は大きくなる。
【００７９】
バッファ１３０から読み出されたデータは、バッファ１３０から消去される。または、読み出されたデータの上に新たなデータが上書きされる。したがって、通常動作時におけるバッファの使用容量は、図８に示すように、バッファ１３０の最大容量（バッファ１３０の上限容量）に対して、わずかなものでしかない。
【００８０】
図７に戻り、フローチャートの続きを説明する。
【００８１】
ステップＳ１２で、保護蓋１２は開状態である（Ｙｅｓ）と判断されれば、記録制御部１４１は、エンコーダ１２０から出力されるデータをバッファ１３０に書き込む動作は継続しつつ、記録媒体３２へのデータ記録動作を中断する（ステップＳ１３）。これにより、バッファ１３０からデータを読み出す動作が中断され、バッファ１３０に蓄積されるデータ量（バッファ１３０の使用容量）は時間の経過とともに増加する。
【００８２】
記録制御部１４１は、バッファ１３０の使用容量が上限に到達するまでの時間を算出する（ステップＳ１４）。
【００８３】
バッファ１３０の使用容量が上限に到達するまでの時間は、例えば、記録制御部１４１がバッファ１３０に蓄積されるデータの増加量を定期的に計測し、その増加率から、算出することができる。あるいは、単位時間（例えば、１秒間）にエンコーダ１２０から出力されるデータの量を計測し、そのデータ量にもとづき算出することも可能である。しかし、バッファ１３０の使用容量が上限に到達するまでの時間を算出する手法は、何らこれらの手法に限定されるものではなく、どのような手法が用いられてもよい。
【００８４】
記録制御部１４１は、ステップＳ１４での算出結果にもとづき、バッファ１３０の使用容量が上限に到達するまでの残り時間が、あらかじめ設定された時間以下になれば、警告画像を表示部１５０に表示するように全体制御部１４０に指示する（ステップＳ１５）。
【００８５】
記録制御部１４１は、保護蓋１２の開閉状態を継続して監視する（ステップＳ１６）。
【００８６】
ステップＳ１６で、保護蓋１２が閉状態になったことが検出されれば（Ｙｅｓ）、記録制御部１４１は、表示部１５０に表示中の警告画像を非表示にするように全体制御部１４０に指示する（ステップＳ１７）。
【００８７】
そして、記録制御部１４１は、記録媒体３２へのデータ記録動作を再開する（ステップＳ１８）。
【００８８】
なお、ステップＳ１７、Ｓ１８は、どちらが先であってもよい。
【００８９】
これらステップＳ１３からステップＳ１８の動作の概略を図面を用いて説明する。
【００９０】
図９は、実施の形態１における記録装置１００のデータ記録動作の一例を概略的に示す図である。
【００９１】
図９には、撮像装置１０で動画撮影が行われているときの、バッファ１３０におけるデータの書き込み動作と読み出し動作、記録媒体３２へのデータ書き込み動作、保護蓋１２の開閉状態、バッファ１３０の使用容量（バッファ１３０に蓄積されるデータ量）、の時間変化を概略的に示す。なお、図９には、記録装置１００の保護蓋１２が、閉状態から開状態となり、その後、バッファ１３０の使用容量が上限に到達する前に閉状態に戻ったときの動作を示す。
【００９２】
記録制御部１４１は、開閉検出部３４を通して保護蓋１２が開状態になったことを検知すると、バッファ１３０からデータを読み出す動作および記録媒体３２へデータを書き込む動作を、直ちに停止する。しかし、撮像装置１０での動画撮影動作は停止されず、エンコーダ１２０からのデータ出力は継続される。そして、記録制御部１４１は、エンコーダ１２０から出力されるデータをバッファ１３０へ書き込む動作を、継続する。
【００９３】
図９に示す例では、記録制御部１４１は、時刻ｔ３に保護蓋１２が開状態になったことを検知する。したがって、時刻ｔ３以降、バッファ１３０からデータを読み出す動作および記録媒体３２へデータを書き込む動作は停止される。しかし、エンコーダ１２０から出力されるデータをバッファ１３０へ書き込む動作は、時刻ｔ３以降も継続される。
【００９４】
バッファ１３０からデータを読み出す動作が停止されることで、バッファ１３０には、エンコーダ１２０から出力されるデータが継続して蓄積される。したがって、時刻ｔ３以降、バッファ１３０の使用容量は、時間の経過とともに増加する。
【００９５】
記録制御部１４１は、バッファ１３０における使用容量の増加量等から、バッファ１３０の使用容量が上限に到達するまでの時間を算出して上限到達時刻を予想し、その結果にもとづき、警告画像を表示部１５０に表示するように全体制御部１４０に指示する。
【００９６】
すなわち、記録制御部１４１は、保護蓋１２が開状態になったことを検出すると、全体制御部１４０に指示を出し、開状態が検出された時刻（時刻ｔ３）から、バッファ１３０の使用容量が上限に到達する時刻までの間に、警告画像を表示部１５０に表示する。
【００９７】
記録制御部１４１は、バッファ１３０の使用容量が上限に到達する時刻を、時刻ｔ６、と算出したときは、時刻ｔ３と時刻ｔ６の間の時刻ｔ４に警告画像が表示部１５０に表示されるように、全体制御部１４０に指示する。なお、時刻ｔ４は、時刻ｔ３の直後に設定されていてもよく、時刻ｔ３と時刻ｔ６の中間に設定されていてもよい。
【００９８】
例えば、約１０秒分の撮影データを蓄積できる容量をバッファ１３０が有していれば、時刻ｔ６は、時刻ｔ３から約１０秒後の時刻となる。また、時刻ｔ４が時刻ｔ３と時刻ｔ６の中間に設定されていれば、時刻ｔ４は時刻ｔ３から約５秒後の時刻となる。しかし、本実施の形態において、バッファ１３０の容量や、警告画像を表示部１５０に表示する時刻等は、何らこれらの数値に限定されるものではない。
【００９９】
記録制御部１４１は、バッファ１３０の使用容量が上限に到達する前の時刻ｔ５に、保護蓋１２が閉状態になったことを検知すると、バッファ１３０から記録媒体３２へのデータ転送動作を直ちに再開する。すなわち、保護蓋１２が閉状態になると、バッファ１３０からデータを読み出す動作および記録媒体３２へデータを書き込む動作が直ちに再開される。
【０１００】
これにより、保護蓋１２が開状態になった時刻ｔ３以降にバッファ１３０に蓄積されたままになっているデータ（例えば、データＡ以降のデータ）は、保護蓋１２が閉状態になった時刻ｔ５以降にバッファ１３０から順次読み出され、記録媒体３２に書き込まれる。
【０１０１】
このデータ転送動作の再開により、バッファ１３０の使用容量は徐々に低下し、時刻ｔ７に、通常動作時と同程度の使用容量になる。
【０１０２】
なお、時刻ｔ５以降にバッファ１３０の使用容量を低下させるためには、バッファ１３０から記録媒体３２へデータを転送する速度を、エンコーダ１２０からバッファ１３０へデータを転送する速度よりも速くしなければならない。例えば、バッファ１３０から記録媒体３２へデータを転送する速度を、エンコーダ１２０からバッファ１３０へデータを転送する速度の２倍以上にすることで、時刻ｔ５から時刻ｔ７までの時間を、時刻ｔ３から時刻ｔ５までの時間以下にすることができる。
【０１０３】
また、記録制御部１４１は、保護蓋１２が閉状態になったことを検知すると、表示部１５０に表示されている警告画像を非表示にするように、全体制御部１４０に指示する。なお、このとき、記録制御部１４１は、保護蓋１２が閉状態になったことを告知するメッセージを表示部１５０に表示するように、全体制御部１４０に指示してもよい。
【０１０４】
こうして、時刻ｔ７以降、記録装置１００は通常動作に戻る。
【０１０５】
このように、本実施の形態における記録装置１００では、保護蓋１２が開いている間の撮影データは、バッファ１３０の上限に到達するまではバッファ１３０に蓄積され、保護蓋１２が閉じた後にバッファ１３０から記録媒体３２に転送される。これにより、保護蓋１２が開き、外部に対して記録媒体３２が露出し、記録媒体３２への不要な物理的接触等が発生する可能性が生じたときは、記録媒体３２への書き込み動作を中断し、その間の撮影データをバッファ１３０に蓄積することができる。そして、警告画像に表示されている時間以内に保護蓋１２が閉じられることで、保護蓋１２が開いていた間の撮影データを、バッファ１３０から記録媒体３２に転送し、記録媒体３２に安定に記録することができる。
【０１０６】
ここで、警告画像の例を、図面を用いて説明する。
【０１０７】
図１０は、実施の形態１における警告画像の一例を概略的に示す図である。
【０１０８】
図１１は、実施の形態１における警告画像の他の一例を概略的に示す図である。
【０１０９】
この警告画像は、使用者に対して、保護蓋１２が開いており早急に閉じる必要がある、ということと、バッファ１３０の使用容量が上限に到達するまでにどれ位の時間が残されているか（保護蓋１２を閉じるまでに残された時間）、ということを、使用者に告知するための画像である。
【０１１０】
例えば、図１０に示す例では、保護蓋１２が開いており早急に閉じる必要がある、ということを使用者に告知するために、「ＣＬＯＳＥ  ＴＨＥ  ＣＯＶＥＲ！」というメッセージを警告画像４００に表示している。また、保護蓋１２を閉じるまでに残された時間を使用者に告知するために、「ＷＩＴＨＩＮ  ５  ＳＥＣＯＮＤＳ！」というメッセージを警告画像４００に表示している。
【０１１１】
また、図１１に示す例では、保護蓋１２が開いており早急に閉じる必要がある、ということを使用者に告知するために、アイコン５１０を警告画像５００に表示している。また、保護蓋１２を閉じるまでに残された時間を使用者に告知するために、「５  ＳＥＣ」というメッセージを警告画像５００に表示している。
【０１１２】
なお、図１０、図１１に示す「５」という数字は、時間の経過とともに減少（カウントダウン）する数値であり、バッファ１３０の容量やエンコーダ１２０から出力されるデータ量等によって初期値が変化する数値である。また、各メッセージは、使用者の注意を喚起するために、例えば、点滅したり、色が変化したり、大きさが変化したりしてもよい。また、アイコン５１０を、保護蓋１２の開閉動作を使用者に想起させるアニメーションで表示してもよい。
【０１１３】
なお、警告画像は何ら図１０、図１１に示す例に限定されるものではなく、保護蓋１２が開いており早急に閉じる必要がある、ということと、保護蓋１２を閉じるまでに残された時間、を使用者に伝えることができれば、どのような内容であってもよい。
【０１１４】
図７に戻り、フローチャートの続きを説明する。
【０１１５】
ステップＳ１６で、保護蓋１２が開状態（Ｎｏ）のままであれば、記録制御部１４１は、バッファ１３０の使用容量が上限未満かどうかを判断する（ステップＳ２６）。ステップＳ２６での判断にもとづき、記録制御部１４１は、バッファ１３０の使用容量が上限に到達するまでは、上述と同様の動作を継続する（Ｙｅｓ）。ステップＳ２６で、記録制御部１４１はバッファ１３０の使用容量が上限に到達したと判断すれば（Ｎｏ）、記録制御部１４１は、直ちに、記録媒体３２へのデータ記録動作を再開する（ステップＳ１８）。このとき、警告画像は、表示部１５０に表示されたままであってもよい。
【０１１６】
これらの動作の概略を図面を用いて説明する。
【０１１７】
図１２は、実施の形態１における記録装置１００のデータ記録動作の他の一例を概略的に示す図である。
【０１１８】
図１２には、撮像装置１０で動画撮影が行われているときの、バッファ１３０におけるデータの書き込み動作と読み出し動作、記録媒体３２へのデータ書き込み動作、保護蓋１２の開閉状態、バッファ１３０の使用容量（バッファ１３０に蓄積されるデータ量）、の時間変化を概略的に示す。なお、図１２には、記録装置１００の保護蓋１２が、閉状態から開状態となり、その後、開状態のままバッファ１３０の使用容量が上限に到達したときの動作を示す。
【０１１９】
なお、図１２において、バッファ１３０の使用容量が上限に到達する時刻ｔ６までの記録装置１００の動作は、図９を用いて説明した保護蓋１２が開状態のときの記録装置１００の動作と実質的に同じであるので、繰り返しの説明を省略する。
【０１２０】
記録制御部１４１は、保護蓋１２が閉じられないままバッファ１３０の使用容量が上限に到達すれば、その到達時刻ｔ６において、装着部３５に記録媒体３２が装着されているかどうかを、記録媒体検出部としてのインターフェース３６を通して、確認する。そして、装着部３５に記録媒体３２が装着されていれば、表示部１５０に警告画像を表示したまま、バッファ１３０から記録媒体３２へのデータ転送動作を直ちに再開する。すなわち、バッファ１３０の使用容量が上限に到達すれば、バッファ１３０からデータを読み出す動作および記録媒体３２へデータを書き込む動作が直ちに再開される。
【０１２１】
記録装置１００がこのような動作をするのは、撮像装置１０における撮影データを、可能な限り、欠落なく記録するためである。
【０１２２】
なお、この警告画像で表示されるメッセージは、例えば、「保護蓋１２が閉じられていないが、バッファ１３０の使用容量が上限に達したので、記録媒体３２へのデータ記録動作を再開する」ことを告知するメッセージに変更されてもよい。
【０１２３】
バッファ１３０から記録媒体３２へのデータ転送再開後の記録装置１００の動作は、図９を用いて説明した保護蓋１２が開状態から閉状態になったときの記録装置１００の動作（時刻ｔ５以降の動作）と実質的に同じであるので、繰り返しの説明を省略する。
【０１２４】
バッファ１３０から記録媒体３２へのデータ転送再開後、記録制御部１４１は、保護蓋１２が閉状態になったことを検知すると、表示部１５０に表示されている警告画像を非表示にするように、全体制御部１４０に指示する。このとき、記録制御部１４１は、保護蓋１２が閉状態になったことを告知するメッセージを表示部１５０に表示するように、全体制御部１４０に指示してもよい。
【０１２５】
なお、時刻ｔ６において、装着部３５に記録媒体３２が装着されていなければ、記録制御部１４１は、「記録媒体３２が記録装置１００に装着されていないため動画撮影を継続できない」ことを告知するメッセージを表示部１５０表示し動画の撮影動作を停止するように、全体制御部１４０に指示してもよい。
【０１２６】
あるいは、記録制御部１４１は、装着部３５に記録媒体３２が装着されていないことを検知した時点で、直ちに、「記録媒体３２を記録装置１００に装着すべき」ことを告知するメッセージを表示部１５０に表示するように、全体制御部１４０に指示してもよい。
【０１２７】
なお、本実施の形態では、記録装置１００に１つの記録媒体３２が装着され、その記録媒体３２を１つの保護蓋１２で保護する例を説明したが、記録装置に複数の記録媒体が装着される構成であってもよい。
【０１２８】
図１３は、実施の形態１における記録装置の構成の他の一例を概略的に示すブロック図である。なお、図１３では、図５、図６に示した記録装置１００の回路ブロックと実質的に同じ動作をする回路ブロックには、その回路ブロックと同じ符号を付与している。
【０１２９】
図１３に示す記録装置１０１は、図５、図６に示した記録装置１００と比較して、複数の記録媒体３２を装着可能に構成されている点が異なる。図１３には、一例として、２枚の記録媒体３２が１つの保護蓋１１２で保護されるように構成されている例を示している。
【０１３０】
しかし、記録装置１０１において、記録媒体３２を保護する保護蓋１１２が１つである点は、記録装置１００と同じである。そして、記録装置１０１では、保護蓋１１２が閉状態から開状態になったときの動作を含め、上述した記録装置１００と実質的に同じ動作が行われる。
【０１３１】
このように、本実施の形態における記録装置は、保護蓋に保護される記録媒体の数は、何ら１つに限定されるものではなく、複数の記録媒体が装着されるように構成されていてもよい。
【０１３２】
［１−３．効果等］
以上のように、本実施の形態において、記録装置１００は、装着部３５と、保護蓋１２と、開閉検出部３４と、バッファ１３０と、記録制御部１４１と、を備えている。装着部３５は、記録媒体３２を着脱可能に装着するように構成されている。保護蓋１２は、開閉可能に設けられ、閉状態では装着部３５に装着された記録媒体３２を覆って外部から遮蔽し、開状態では装着部３５に装着された記録媒体３２が外部に露出するように構成されている。開閉検出部３４は、保護蓋１２の開閉状態を検出するように構成されている。バッファ１３０は、装着部３５に装着された記録媒体３２へ記録するデータを一時的に蓄積するように構成されている。記録制御部１４１は、データをバッファ１３０へ蓄積し、バッファ１３０に蓄積されたデータをバッファ１３０から読み出して装着部３５に装着された記録媒体３２に書き込む制御を行うように構成されている。また、記録制御部１４１は、保護蓋１２が開状態になったことを開閉検出部３４が検出したときは、データをバッファ１３０へ蓄積する動作を継続しつつ、バッファ１３０に蓄積されたデータをバッファ１３０から読み出して記録媒体３２に書き込む動作を停止する制御を行うように構成されている。
【０１３３】
また、撮像装置１０は、撮像部１１０と、表示部１５０と、撮像部１１０で撮影された映像信号に基づくデータを記録媒体３２に記録する記録装置１００と、を備えている。
【０１３４】
これにより、保護蓋１２が開いている間の撮影データを、バッファ１３０の上限に到達するまではバッファ１３０に蓄積することができる。これにより、保護蓋１２が開き、外部に対して記録媒体３２が露出し、記録媒体３２への不要な物理的接触等が発生する可能性が生じたときは、記録媒体３２への書き込み動作を中断し、その間の撮影データをバッファ１３０に安定に蓄積することができる。例えば、保護蓋１２が開き、誤って記録媒体３２が一時的に装着部３５から取り出されたとしても、その間の撮像装置１０における撮影データをバッファ１３０に蓄積することができる。
【０１３５】
また、本実施の形態において、記録装置１００の記録制御部１４１は、バッファ１３０に蓄積されるデータがバッファ１３０の使用容量の上限に到達する前に、保護蓋１２が閉状態になったことを開閉検出部３４が検出したときは、バッファ１３０に蓄積されたデータをバッファ１３０から読み出して、装着部３５に装着された記録媒体３２に書き込む動作を再開するように構成されている。
【０１３６】
これにより、保護蓋１２が閉じた後に、バッファ１３０に蓄積されたデータをバッファ１３０から記録媒体３２に転送することができる。したがって、保護蓋１２が開いていた間の撮像装置１０における撮影データを、記録媒体３２に安定に記録することができる。
【０１３７】
業務用のビデオカメラ等では、撮影データを欠落することなく確実に記録媒体に記録することが求められる。しかし、例えば、誤って保護蓋が開いてしまい、意図せず使用者の指等が記録媒体に接触してチャタリングが生じ書き込み動作が一時的に正しく行われなかったり、あるいは、誤って撮影中に記録媒体が装着部から一時的に取り出されたりすれば、撮影データに欠落が生じる。
【０１３８】
しかしながら、本実施の形態における記録装置１００では、保護蓋１２が開き、記録媒体３２への記録動作が安定に行われないかもしれない、という状況が生じたとき、記録媒体３２への書き込み動作を停止し、一方で、この間の撮影データをバッファ１３０に継続して蓄積する。そして、保護蓋１２が閉状態になったら、直ちに、バッファ１３０に蓄積されたデータを記録媒体３２へ転送する。これにより、保護蓋１２が開き、記録媒体３２への記録動作が不安定になる可能性が生じたとしても、撮像装置１０における撮影動作を中断することなく継続して行い、その間の撮影データを、欠落を防止し、安定に記録媒体３２に記録することが可能となる。
【０１３９】
また、記録制御部１４１は、保護蓋１２が開状態のまま、バッファ１３０に蓄積されるデータがバッファ１３０の使用容量の上限に到達したときは、記録媒体検出部であるインターフェース３６における検出結果にもとづき、バッファ１３０に蓄積されたデータをバッファ１３０から読み出して装着部３５に装着された記録媒体３２に記録する動作を再開するように構成されていてもよい。
【０１４０】
これにより、保護蓋１２が開状態のままバッファ１３０の使用容量が上限に到達したとしても、記録制御部１４１は、装着部３５に記録媒体３２が装着されていることを確認して、バッファ１３０から記録媒体３２へのデータ転送を再開することができる。これにより、たとえ保護蓋１２が開状態のままであったとしても、撮像装置１０における撮影動作が中断されることを防止することができる。
【０１４１】
また、記録制御部１４１は、保護蓋１２が開状態になったことを開閉検出部３４が検出したときは、保護蓋１２が開状態であることを使用者に告知する警告画像を表示部１５０に表示する制御を行うように構成されていてもよい。
【０１４２】
また、記録制御部１４１は、保護蓋１２が開状態になったことを開閉検出部３４が検出したときは、バッファ１３０に蓄積されるデータがバッファ１３０の使用容量の上限に到達するまでの時間を算出し、算出された時間を使用者に告知する警告画像を表示部１５０に表示する制御を行うように構成されていてもよい。
【０１４３】
これにより、使用者に、保護蓋１２が開状態になっていることや、バッファ１３０の使用容量が上限に到達するまでの時間（保護蓋１２を閉状態にするまでに残された時間）、等を告知することができる。
【０１４４】
（実施の形態２）
以下、図１４〜図１６を用いて、実施の形態２を説明する。
【０１４５】
実施の形態１では、撮像装置に１つの保護蓋が備えられ、記録装置に装着された単数または複数の記録媒体を、その保護蓋が保護する構成を説明した。本実施の形態では、記録装置に複数の記録媒体が装着され、複数の保護蓋が、それら複数の記録媒体をそれぞれ保護する構成を説明する。
【０１４６】
［２−１．構成］
図１４を用いて本実施の形態における記録装置を備えた撮像装置の構成について説明する。なお、図１４では、図５、図６に示した記録装置１００と実質的に同じ動作をする回路ブロックには、その回路ブロックと同じ符号を付与し、説明を省略する。
【０１４７】
図１４は、実施の形態２における記録装置を備えた撮像装置２００の構成の一例を概略的に示すブロック図である。
【０１４８】
図１４に示すように、撮像装置２００は、撮像レンズ部１６を備えた撮像部１１０、エンコーダ１２０、全体制御部１４０、表示部１５０、バス部１６０、記録装置１０２、を有する。図１４に示す撮像装置２００は、実施の形態１に示した記録装置１００と実質的に同じ構成であり、実質的に同じ動作をする。
【０１４９】
記録装置１０２は、第１装着部３５ａ、第２装着部３５ｂ、第１インターフェース３６ａ、第２インターフェース３６ｂ、第１保護蓋１２ａ、第２保護蓋１２ｂ、第１開閉検出素子３１ａ、第２開閉検出素子３１ｂ、第１開閉検出部３４ａ、第２開閉検出部３４ｂ、バッファ１３０、記録制御部１４１、を有する。
【０１５０】
図１４に示す記録装置１０２において、第１装着部３５ａに装着された第１記録媒体３２ａは第１保護蓋１２ａによって保護され、第２装着部３５ｂに装着された第２記録媒体３２ｂは第２保護蓋１２ｂによって保護されている。
【０１５１】
第１保護蓋１２ａには第１開閉検出素子３１ａが設けられ、第１開閉検出素子３１ａは第１開閉検出部３４ａに電気的に接続されている。第２保護蓋１２ｂには第２開閉検出素子３１ｂが設けられ、第２開閉検出素子３１ｂは第２開閉検出部３４ｂに電気的に接続されている。第１開閉検出部３４ａの検出結果、および第２開閉検出部３４ｂの検出結果は、それぞれ記録制御部１４２に入力される。
【０１５２】
これにより、全体制御部１４０と連携しながら記録装置１０２の各回路ブロックを制御する記録制御部１４２は、第１保護蓋１２ａの開閉状態と第２保護蓋１２ｂの開閉状態とをそれぞれ独立に検知することができる。
【０１５３】
第１装着部３５ａに装着された第１記録媒体３２ａは第１インターフェース３６ａによってバス部１６０と電気的に接続され、第２装着部３５ｂに装着された第２記録媒体３２ｂは第２インターフェース３６ｂによってバス部１６０と電気的に接続されている。
【０１５４】
第１インターフェース３６ａ、第２インターフェース３６ｂは、それぞれが記録媒体検出部としても動作する。記録制御部１４２は、第１インターフェース３６ａ、第２インターフェース３６ｂを通して、第１装着部３５ａに第１記録媒体３２ａが装着されているかどうか、第２装着部３５ｂに第２記録媒体３２ｂが装着されているかどうか、を知ることができる。
【０１５５】
記録装置１０２が有する各回路ブロックは、バス部１６０を介して互いにデータをやり取りするように構成されている。
【０１５６】
このように、本実施の形態に示す記録装置１０２は、複数の保護蓋（例えば、第１保護蓋１２ａ、第２保護蓋１２ｂ）を備える点が、実施の形態１に示した記録装置１００と異なる。しかし、記録装置１０２を構成する各構成要素の機能および動作は、実施の形態１で説明した記録装置１００を構成する各構成要素と実質的に同じである。
【０１５７】
［２−２．動作］
以上のように構成された記録装置１０２における、撮像装置２０で動画撮影が行われているときの、データ記録動作を説明する。
【０１５８】
なお、本実施の形態において、第１保護蓋１２ａ、第２保護蓋１２ｂがともに閉じているときの動作は、実施の形態１で説明した保護蓋１２が閉じているときの記録装置１００の動作と実質的に同じであるので、説明を省略する。
【０１５９】
また、本実施の形態において、書き込み動作が行われている方の記録媒体を保護する保護蓋が閉状態のままであれば、書き込み動作が行われていない方の記録媒体を保護する保護蓋が閉状態から開状態になったとしても、そのときの動作は実施の形態１で説明した保護蓋１２が閉じているときの記録装置１００の動作と実質的に同じであるので、説明を省略する。
【０１６０】
また、本実施の形態において、第１保護蓋１２ａ、第２保護蓋１２ｂがともに閉状態から開状態となったときの動作は、実施の形態１で説明した保護蓋１２が閉状態から開状態となったときの記録装置１００の動作と実質的に同じであるので、説明を省略する。
【０１６１】
本実施の形態においては、書き込み動作が行われていない方の記録媒体を保護する保護蓋は閉状態のまま、書き込み動作が行われている方の記録媒体を保護する保護蓋が閉状態から開状態になったときの動作に、実施の形態１で説明した記録装置１００の動作と異なる点がある。以下、そのときの動作を説明を省略する。
【０１６２】
図１５は、実施の形態２における記録装置１０２のデータ記録動作を概略的に示すフローチャートである。
【０１６３】
本実施の形態において、図１５に示す記録装置１０２の各動作は、記録制御部１４２によって制御されているものとする。
【０１６４】
図１５に示すフローチャートにおいて、ステップＳ１１からステップＳ１８までの各動作は、実施の形態１で図７に示したフローチャートのステップＳ１１からステップＳ１８までの各動作と実質的に同じであるので、繰り返しの説明を省略する。
【０１６５】
ただし、ステップＳ１２では、書き込み動作が行われている方の記録媒体（例えば、第１記録媒体３２ａ）を保護する保護蓋（例えば、第１保護蓋１２ａ）が閉状態から開状態になり、書き込み動作が行われていない方の記録媒体（例えば、第２記録媒体３２ｂ）を保護する保護蓋（例えば、第２保護蓋１２ｂ）は閉状態のままである、ことが記録制御部１４２によって検知されたものとする。
【０１６６】
なお、この場合も、バッファ１３０の使用容量が上限に到達するまでの記録装置１０２の動作、すなわち、ステップＳ１６においてバッファ１３０の使用容量が上限に到達するまでの間に、書き込み動作が行われていた方の記録媒体（例えば、第１記録媒体３２ａ）を保護する保護蓋（例えば、第１保護蓋１２ａ）が閉状態になったことが検出された（Ｙｅｓ）ときの記録装置１０２の動作は、実施の形態１で説明した保護蓋１２が閉状態から開状態となりその後閉状態となったときの記録装置１００の動作と実質的に同じであるので、説明を省略する。
【０１６７】
ステップＳ１６で、書き込み動作が行われていた方の記録媒体（例えば、第１記録媒体３２ａ）を保護する保護蓋（例えば、第１保護蓋１２ａ）が開状態（Ｎｏ）のまま、ステップＳ２６で、バッファ１３０の使用容量が上限に到達したと記録制御部１４２が判断すれば（Ｎｏ）、記録制御部１４２は、直ちに、書き込み動作を行う記録媒体を変更し、閉状態の保護蓋１２（例えば、第２保護蓋１２ｂ）で保護されている方の記録媒体（例えば、第２記録媒体３２ｂ）へのデータ記録動作を開始する（ステップＳ１９）。
【０１６８】
記録制御部１４２は、「データを記録していた第１記録媒体３２ａを保護する第１保護蓋１２ａが開いたままであり、バッファ１３０の使用容量が上限に達したので、データを記録する記録媒体を第２記録媒体３２ｂに変更してデータ記録動作を再開する」ことを告知するメッセージを、警告画像に代えて表示部１５０に表示するように、全体制御部１４０に指示する（ステップＳ２０）。
【０１６９】
これらの動作の概略を図面を用いて説明する。
【０１７０】
図１６は、実施の形態２における記録装置１０２のデータ記録動作の他の一例を概略的に示す図である。
【０１７１】
図１６には、撮像装置２００で動画撮影が行われているときの、バッファ１３０におけるデータの書き込み動作と読み出し動作、第１記録媒体３２ａおよび第２記録媒体３２ｂへのデータ書き込み動作、第１保護蓋１２ａおよび第２保護蓋１２ｂの開閉状態、バッファ１３０の使用容量（バッファ１３０に蓄積されるデータ量）、の時間変化を概略的に示す。なお、図１６には、第２記録媒体３２ｂを保護する第２保護蓋１２ｂは閉状態が維持され、第１記録媒体３２ａを保護する第１保護蓋１２ａは、閉状態から開状態となり、その後、開状態のままバッファ１３０の使用容量が上限に到達したときの動作を示す。
【０１７２】
なお、図１６において、バッファ１３０の使用容量が上限に到達する時刻ｔ６までの記録装置１０２の動作は、図９を用いて説明した保護蓋１２が開状態のときの記録装置１００の動作と実質的に同じであるので、繰り返しの説明を省略する。
【０１７３】
記録制御部１４２は、第１保護蓋１２ａが閉じられないままバッファ１３０の使用容量が上限に到達すれば、第２保護蓋１２ｂは閉じられているので、その到達時刻ｔ６において、データを記録する対象を第１記録媒体３２ａから第２記録媒体３２ｂに変更し、バッファ１３０から第２記録媒体３２ｂへのデータ転送動作を直ちに開始する。
【０１７４】
このように、記録制御部１４２は、バッファ１３０の使用容量が上限に到達すれば、バッファ１３０からデータを読み出す動作、および、保護蓋１２が閉じられている方の記録媒体３２へデータを書き込む動作、を直ちに開始する。
【０１７５】
なお、記録装置１０２において、バッファ１３０の使用容量が上限に到達するまで第２記録媒体３２ｂへデータを書き込まないのは、連続する撮影データが２つの記録媒体（例えば、第１記録媒体３２ａと第２記録媒体３２ｂ）に分割して記録されるのを、可能な限り防止するためである。また、バッファ１３０の使用容量が上限に到達した後、第１記録媒体３２ａから第２記録媒体３２ｂへ記録媒体を変更してデータの記録動作を再開するのは、第１保護蓋１２ａが開き外部に露出した第１記録媒体３２ａよりも、閉じられた第２保護蓋１２ｂにより保護された第２記録媒体３２ｂの方が、安定に書き込み動作を行えるためである。
【０１７６】
そして、記録制御部１４２は、時刻ｔ４で表示部１５０に表示された警告画像に代えて、データを記録する記録媒体を変更したことを告知するメッセージを表示部１５０に表示するように、全体制御部１４０に指示する。
【０１７７】
バッファ１３０から第２記録媒体３２ｂにデータ転送を開始した後は、第１保護蓋１２ａが開状態から閉状態になったとしても、第２記録媒体３２ｂへデータを書き込む動作を継続する。これも、連続する撮影データが複数の記録媒体に分割して記録されるのを、可能な限り防止するためである。
【０１７８】
なお、第２記録媒体３２ｂにデータを書き込む動作を開始した後の記録装置１０２の動作は、図９を用いて説明した保護蓋１２が開状態から閉状態になったときの記録装置１００の動作（時刻ｔ５以降の動作）と実質的に同じであるので、繰り返しの説明を省略する。
【０１７９】
なお、本実施の形態における記録装置は、３つ以上の保護蓋および開閉検出部を備えていてもよく、その場合も上述と同様の動作を行うことが可能である。
【０１８０】
［２−３．効果等］
以上のように、本実施の形態において、記録装置１０２には、複数の保護蓋が備えられている。そして記録制御部１４２は、データの記録対象となっている記録媒体（例えば、第１記録媒体３２ａ）を保護する保護蓋（例えば、第１保護蓋１２ａ）が開状態であることが開閉検出部（例えば、第１開閉検出部３４ａ）で検出されたときは、データをバッファ１３０へ蓄積する動作を継続しつつ、バッファ１３０に蓄積されたデータをバッファ１３０から読み出してその記録媒体（例えば、第１記録媒体３２ａ）に記録する動作を停止するように構成されている。
【０１８１】
また、記録制御部１４２は、バッファ１３０に蓄積されるデータがバッファ１３０の使用容量の上限に到達する前に、データの記録対象となっている記録媒体（例えば、第１記録媒体３２ａ）を保護する保護蓋（例えば、第１保護蓋１２ａ）が閉状態になったことを開閉検出部（例えば、第１開閉検出部３４ａ）が検出したときは、バッファ１３０に蓄積されたデータをバッファ１３０から読み出してデータの記録対象となっている記録媒体（例えば、第１記録媒体３２ａ）に書き込む動作を再開するように構成されていてもよい。
【０１８２】
また、記録制御部１４２は、データの記録対象となっている記録媒体（例えば、第１記録媒体３２ａ）を保護する保護蓋（例えば、第１保護蓋１２ａ）が開状態のまま、バッファ１３０に蓄積されるデータがバッファ１３０の使用容量の上限に到達したときは、データの記録対象を、閉状態の保護蓋（例えば、第２保護蓋１２ｂ）で覆われた記録媒体（例えば、第２記録媒体３２ｂ）に変更し、バッファ１３０に蓄積されたデータをバッファ１３０から読み出す動作を再開するとともに、読み出されたデータを閉状態の保護蓋（例えば、第２保護蓋１２ｂ）で覆われた記録媒体（例えば、第２記録媒体３２ｂ）に記録する動作を開始するように構成されていてもよい。
【０１８３】
これにより、データの記録対象となっている記録媒体（例えば、第１記録媒体３２ａ）を保護する保護蓋（例えば、第１保護蓋１２ａ）が開状態の間の撮像装置２００における撮影データを、記録媒体（第１記録媒体３２ａ、または第２記録媒体３２ｂ）に安定に記録することができる。
【０１８４】
また、バッファ１３０の使用容量が上限に到達するまで、閉状態の保護蓋（例えば、第２保護蓋１２ｂ）で覆われた記録媒体（例えば、第２記録媒体３２ｂ）への書き込み動作を開始しないことで、連続する撮影データが複数の記録媒体（例えば、第１記録媒体３２ａと第２記録媒体３２ｂ）に分割して記録されるのを、可能な限り防止することができる。
【０１８５】
（他の実施の形態）
以上のように、本出願において開示する技術の例示として、実施の形態１、２を説明した。しかしながら、本開示における技術は、これに限定されず、変更、置き換え、付加、省略等を行った実施の形態にも適用できる。また、上記実施の形態１、２で説明した各構成要素を組み合わせて、新たな実施の形態とすることも可能である。
【０１８６】
そこで、以下、他の実施の形態を例示する。
【０１８７】
実施の形態２における第２記録媒体３２ｂは、着脱可能な交換式の記録媒体として説明したが、第２記録媒体３２ｂは記録装置１０２に内蔵された不揮発性の記録媒体（例えば、記録装置１０２に内蔵されたフラッシュメモリやＨＤＤ等）であってもよい。また、第２記録媒体３２ｂは揮発性の記録媒体であってもよい。
【０１８８】
実施の形態２において、記録制御部１４２は、データの書き込み動作を行っている記録媒体を保護する保護蓋（例えば、第１保護蓋１２ａ）が閉状態から開状態になったことを検知したときは、直ちに、データを記録する記録媒体を保護蓋１２が閉じられている方の記録媒体（例えば、第２記録媒体３２ｂ）に変更してもよい。
【０１８９】
実施の形態１、２では、警告画像を表示部に表示する構成を説明したが、例えば、警告内容を使用者に告知する音声や警告音をスピーカから発生してもよい。あるいは、ＬＥＤ等の発光素子を点滅させることで使用者に保護蓋が開いたことを告知してもよい。さらには、バッファ１３０の使用容量が上限に到達するまでの残り時間が短くなるにつれて発光素子の点滅周期を徐々に短くする等して、使用者に早急に保護蓋を閉じるように促すようにしてもよい。
【０１９０】
なお、実施の形態１、２で説明に用いた「同時」もしくはそれに類する表現は、厳密に同時刻であることを意味するものではなく、各回路ブロックの動作に要する時間やデータのやり取りに要する時間等にもとづく多少の時間のずれを含むものとする。
【産業上の利用可能性】
【０１９１】
本開示は、動画像の撮影データ等を記録媒体に記録する記録装置、およびこの記録装置を備えた撮像装置等に適用可能である。具体的には、業務用のビデオカメラや民生用のビデオカメラ等の動画撮像装置、動画像の撮影が可能なデジタルスチルカメラ等の静止画撮像装置、音声録音装置、等に本開示は適用可能である。
【符号の説明】
【０１９２】
１０，２０，２００    撮像装置
１１，２１    撮像本体部
１２，２２，１１２    保護蓋
１２ａ    第１保護蓋
１２ｂ    第２保護蓋
１３，２３    ビューファインダー部
１４，２４    ハンドル部
１５    液晶パネル
１６，２６    撮像レンズ部
１７    マイク装置
２７    マイク装着部
３１    開閉検出素子
３１ａ    第１開閉検出素子
３１ｂ    第２開閉検出素子
３２，３３    記録媒体
３２ａ    第１記録媒体
３２ｂ    第２記録媒体
３４    開閉検出部
３４ａ    第１開閉検出部
３４ｂ    第２開閉検出部
３５    装着部
３５ａ    第１装着部
３５ｂ    第２装着部
３６    インターフェース
３６ａ    第１インターフェース
３６ｂ    第２インターフェース
１００，１０１，１０２    記録装置
１１０    撮像部
１２０    エンコーダ
１３０    バッファ
１４０    全体制御部
１４１，１４２    記録制御部
１５０    表示部
１６０    バス部
【図１】
2015172922.tif 000003
【図２】
2015172922.tif 000004
【図３Ａ】
2015172922.tif 000005
【図３Ｂ】
2015172922.tif 000006
【図４】
2015172922.tif 000007
【図５】
2015172922.tif 000008
【図６】
2015172922.tif 000009
【図７】
2015172922.tif 000010
【図８】
2015172922.tif 000011
【図９】
2015172922.tif 000012
【図１０】
2015172922.tif 000013
【図１１】
2015172922.tif 000014
【図１２】
2015172922.tif 000015
【図１３】
2015172922.tif 000016
【図１４】
2015172922.tif 000017
【図１５】
2015172922.tif 000018
【図１６】
2015172922.tif 000019